(57)【要約】【課題】ロール紙収納部の底部から開閉蓋ユニット側へのロール紙の転がり出しを防止すること。【解決手段】ロール紙１２が転動可能な状態で収納されるロール紙収納部１１にロール紙１２を出し入れする開口部２ｂを、下端を中心として手前側に開く開閉蓋ユニット３により開閉する。開閉蓋ユニット３の前側平行リンク４１、４２とプラテンフレーム２４との間に、前側平行リンク４１、４２を一体に連結するフレーム前面パネル４５を介して透明なシート５１を張り渡す。シート５１は、開閉蓋ユニット３が閉じ位置にあるときは、ロール紙収納部１１内のロール紙１２の斜め前方に張り渡され、ロール紙収納部１１の底部側から前方あるいは上方にロール紙１２が転がり出すのを防止する。開閉蓋ユニット３が開き位置にあるときは、プラテンフレーム２４とフレーム前面パネル４５との間にシート５１を畳み込んで格納する。【選択図】図３
2010201684.tif 000002
【特許請求の範囲】
【請求項１】
ロール紙が転動可能な状態で収納されるロール紙収納部の転動方向に形成された開口部に、当該開口部を開閉可能に取り付けられるロール紙収納部の開閉蓋ユニットであって、
起立して前記開口部を閉鎖している閉じ位置から、下端を中心として倒れている開き位置までの間を移動可能であり、
前記閉じ位置の状態で、前記ロール紙収納部における前記ロール紙の収納位置の上方あるいは転動方向の空間に展開して、前記収納位置の上方あるいは転動方向への前記ロール紙の移動を規制可能な移動規制部材を有することを特徴とするロール紙収納部の開閉蓋ユニット。
【請求項２】
請求項１に記載のロール紙収納部の開閉蓋ユニットにおいて、
前記移動規制部材は前記開閉蓋ユニットに設置され、前記開き位置の状態では前記開閉蓋ユニット内に収納されることを特徴とするロール紙収納部の開閉蓋ユニット。
【請求項３】
請求項１または２に記載のロール紙収納部の開閉蓋ユニットにおいて、
起立した状態の前記開閉蓋ユニットの外面に配置されている開閉蓋パネルと、
当該開閉蓋パネルの内面側に取り付けられている４節の平行リンク機構と、
当該平行リンク機構の上部に搭載されているプラテンユニットを備え、
前記平行リンク機構は、
前側平行リンクと、後側平行リンクと、前記前側平行リンクの先端部と後側平行リンクの先端部との間に架け渡したプラテンフレームにより構成され、当該プラテンフレームに前記プラテンユニットが搭載されており、
前記移動規制部材は、
前記閉じ位置の状態において前記プラテンフレームと前記前側平行リンクとの間に張り渡される可撓性部材を備えることを特徴とするロール紙収納部の開閉蓋ユニット。
【請求項４】
請求項３に記載のロール紙収納部の開閉蓋ユニットにおいて、
前記可撓性部材は、
前記前側平行リンクおよび前記後側平行リンクが前記開き位置側に倒れるのに伴い、前記前側平行リンクと前記プラテンフレームとの間に畳み込まれることを特徴とするロール紙収納部の開閉蓋ユニット。
【請求項５】
請求項３または４に記載のロール紙収納部の開閉蓋ユニットにおいて、
前記可撓性部材は、シート材であることを特徴とするロール紙収納部の開閉蓋ユニット。
【請求項６】
請求項３ないし５のいずれかの項に記載のロール紙収納部の開閉蓋ユニットにおいて、
前記開閉蓋パネルには窓が形成され、
前記可撓性部材は、前記閉じ位置の状態のときに前記窓に面している部分の少なくとも一部が透明であることを特徴とするロール紙収納部の開閉蓋ユニット。
【請求項７】
請求項１ないし６のいずれかの項に記載のロール紙収納部および開閉蓋ユニットを備えたことを特徴とするロール紙プリンター。
【発明の詳細な説明】
【技術分野】
【０００１】
本発明は、ロール紙プリンターのロール紙収納部を開閉する開閉蓋ユニットに関し、特に、下端部を中心として手前側に傾くようにプリンター本体に支持された開閉蓋ユニットに関する。
【背景技術】
【０００２】
レシートなどを発行するロール紙プリンターでは、長尺状の記録紙をロール状に巻き付けたロール紙をロール紙収納部に装填し、このロール紙から記録紙を引き出して印刷位置に向けて搬送して印刷を行う。ロール紙収納部には、ロール紙を巻き出しリールなどの支軸によって支持せず、単に、ロール紙収納部の底面に転動可能な状態でロール紙を置く投げ込み方式あるいはドロップイン方式とよばれる構成が用いられている。特許文献１には、このような投げ込み方式のロール紙収納部を備えるプリンターが開示されている。
【０００３】
特許文献１のプリンターでは、プリンターの前面にロール紙出し入れ用の矩形の開口部が設けられ、この開口部の下端を中心として開閉蓋ユニットが手前側に傾くように取り付けられている。開閉蓋ユニットの上部にはプラテンユニットが搭載されており、プラテン面の水平を保つために平行リンク機構により開閉蓋ユニットを開閉している。
【先行技術文献】
【特許文献】
【０００４】
【特許文献１】特開２００７−１７５９１１号公報
【発明の概要】
【発明が解決しようとする課題】
【０００５】
図８は、従来例の投げ込み方式のロール紙プリンターにおけるロール紙収納部の概略縦断面図である。この図に示すように、開閉蓋ユニット１０１を閉じた状態において、ロール紙収納部１０２に置かれたロール紙１０３と開閉蓋ユニット１０１との間の隙間が開閉蓋ユニット１０１の上方側で大きくなっており、開閉蓋ユニット１０１の上部寄りに概略三角形の隙間Ｓ（図８の斜線で示す領域）が生じている。この隙間Ｓは、記録紙が消費されてロール紙１０３の径が小さくなってくるとさらに大きな隙間となる。
【０００６】
この状況でロール紙プリンター１０４を手前側に傾けたり、持ち上げて動かしたりすると、小径になったロール紙１０３がロール紙収納部１０２の底部から手前上方の隙間Ｓに転がり出し、平行リンク機構１０５とプラテンユニット１０６などとの間に挟まってしまうおそれがあった。そして、このようにロール紙１０３が挟まってしまった場合は、正常な開閉蓋ユニット１０１の開閉動作を行うことができないという問題点があった。
【０００７】
本発明の課題は、このような点に鑑みて、４節の平行リンク機構により下端を中心として手前側に傾く構造の開閉蓋ユニットを備える投げ込み方式のロール紙収納部において、ロール紙収納部の底部から開閉蓋ユニット側へのロール紙の転がり出しを防止することにある。
【課題を解決するための手段】
【０００８】
上記の課題を解決するため、本発明のロール紙収納部の開閉蓋ユニットは、
ロール紙が転動可能な状態で収納されるロール紙収納部の転動方向に形成された開口部に、当該開口部を開閉可能に取り付けられるロール紙収納部の開閉蓋ユニットであって、
起立して前記開口部を閉鎖している閉じ位置から、下端を中心として倒れている開き位置までの間を移動可能であり、
前記閉じ位置の状態で、前記ロール紙収納部における前記ロール紙の収納位置の上方あるいは転動方向の空間に展開して、前記収納位置の上方あるいは転動方向への前記ロール紙の移動を規制可能な移動規制部材を有することを特徴としている。
【０００９】
本発明の開閉蓋ユニットは、このように、ロール紙収納部のロール紙の転動方向に形成された開口部に取り付けられており、ほぼ垂直に起立した閉じ位置の状態のときにロール紙の収納位置の上方あるいは転動方向の空間に展開してロール紙の移動を規制可能な移動規制部材を有している。したがって、ロール紙収納部の底部のロール紙の収納位置からロール紙が上方あるいは側方に転がり出すのを防止でき、転がり出したロール紙が開閉蓋ユニットのフレームやプラテンフレームなどとの間に挟まって正常な開閉動作を行うことができなくなるのを防止できる。
【００１０】
本発明において、前記移動規制部材は前記開閉蓋ユニットに設置され、前記開き位置の状態では前記開閉蓋ユニット内に収納されるようにするとよい。このようにすると、開き位置のときに移動規制部材によってロール紙収納部へのロール紙の出し入れが妨げられることがない。
【００１１】
また、本発明において、起立した状態の前記開閉蓋ユニットの外面（前面）に配置されている開閉蓋パネルと、当該開閉蓋パネルの内面側（背面側）に取り付けられている４節の平行リンク機構と、当該平行リンク機構の上部に搭載されているプラテンユニットを備え、前記平行リンク機構は、前側平行リンクと、後側平行リンクと、前記前側平行リンクの先端部と後側平行リンクの先端部との間に架け渡したプラテンフレームにより構成され、当該プラテンフレームに前記プラテンユニットが搭載されており、前記移動規制部材は、前記閉じ位置の状態において前記プラテンフレームと前記前側平行リンクとの間に張り渡される可撓性部材を備える構成にすることができる。このような構成によれば、開閉蓋ユニットにプラテンを搭載してプラテン面の水平を保ったまま開閉蓋ユニットを開閉することができる。また、可撓性部材が前側平行リンクとプラテンフレームとの間に斜めに張り渡されるので、この可撓性部材によってロール紙収納部の底部側と区画される平行リンク機構の前方上部の概略三角形の領域にロール紙が転がり出すのを防止できる。よって、ロール紙の平行リンク機構やプラテンフレームへの挟まりを防止できる。
【００１２】
このとき、前記可撓性部材が、前記前側平行リンクおよび前記後側平行リンクが前記開き位置側に倒れるのに伴い、前記前側平行リンクと前記プラテンフレームとの間に畳み込まれる構成にするとよい。このようにすると、開き位置のときに可撓性部材によってロール紙収納部へのロール紙の出し入れが妨げられることがない。また、開閉蓋ユニットが閉じ位置に移動するときには、プラテンフレームに対する前側平行リンクの傾き角度がほぼ垂直となるように平行リンク機構が変形するのに伴い、可撓性部材を前側平行リンクとプラテンフレームとの間に斜めに張り渡された状態に展開させることができる。
【００１３】
また、前記可撓性部材は、シート材であるとよい。そして、前記開閉蓋パネルに窓が形成されているときには、前記可撓性部材は、前記閉じ位置の状態のときに前記窓に面している部分の少なくとも一部が透明であることが望ましい。このようにすれば、可撓性部材を設けていても窓からのロール紙の残量確認が可能である。
【００１４】
また、本発明は、上記のロール紙収納部および開閉蓋ユニットを備えるロール紙プリンターである。
【発明の効果】
【００１５】
本発明によれば、ロール紙収納部の転動方向に形成された開口部に開閉蓋ユニットが取り付けられており、この開閉蓋ユニットは、ほぼ垂直に起立した閉じ位置の状態のときにロール紙の収納位置の上方あるいは側方の空間に展開してロール紙の移動を規制可能な移動規制部材を有している。したがって、ロール紙収納部の底部のロール紙の収納位置からロール紙が上方あるいは側方に転がり出すのを防止でき、転がり出したロール紙が開閉蓋ユニットのフレームやプラテンフレームなどとの間に挟まって正常な開閉動作を行うことができなくなるのを防止できる。
【図面の簡単な説明】
【００１６】
【図１】本発明を適用したロール紙プリンターの斜視図である。
【図２】開閉蓋ユニットを開き位置にした状態のロール紙プリンターの斜視図である。
【図３】ロール紙プリンターの概略縦断面図（閉じ位置）である。
【図４】ロール紙プリンターの概略縦断面図（開き位置）である
【図５】開閉蓋ユニットの斜め前方から見た斜視図である。
【図６】開閉蓋ユニットの斜め後方から見た斜視図である。
【図７】開閉蓋ユニットの側面図である。
【図８】従来例のロール紙収納部の概略縦断面図である。
【発明を実施するための形態】
【００１７】
以下に、図面を参照して、本発明を適用したロール紙収納部の開閉蓋ユニットを備えるロール紙プリンターの実施の形態を説明する。
【００１８】
（全体構成）
図１は本発明を適用したインクジェット式のロール紙プリンターの外観斜視図であり、図２はその開閉蓋ユニットを開き位置にした状態の外観斜視図である。ロール紙プリンター１は全体としてほぼ直方体形状をしたプリンター本体２と、当該プリンター本体２の前面に取り付けた開閉蓋ユニット３とを有している。プリンター本体２の外装ケース２ａの前面には所定幅の記録紙排出口４が形成されている。記録紙排出口４の下側には排紙ガイド５が前方に突出しており、当該排紙ガイド５の側方には蓋開閉レバー６が配置されている。排紙ガイド５および蓋開閉レバー６の下側には、ロール紙出し入れ用の矩形の開口部２ｂが形成されており、この開口部２ｂが開閉蓋ユニット３によって封鎖されている。
【００１９】
図３および図４はロール紙プリンター１の概略縦断面図であり、図３は開閉蓋ユニットが閉じ位置にある状態、図４は開閉蓋ユニットが開き位置にある状態である。蓋開閉レバー６を操作すると開閉蓋ユニット３のロックが解除される。ロック解除後、排紙ガイド５を前方に引くと、開閉蓋ユニット３は、当該開閉蓋ユニット３の前面部分を構成している開閉蓋ケース３ａの背面側に取り付けられている開閉機構３ｂ（後述する４節の平行リンク機構）によって、その下端部を中心として前方にほぼ水平となるまで開く。開閉蓋ユニット３が図１、図３に示す閉じ位置から図２、図４に示す開き位置まで開くと、プリンター内部に形成されているロール紙収納部１１が開放状態となり、同時に、ロール紙収納部１１から記録紙排出口４に到る記録紙搬送路が開放状態となり、プリンター前方からロール紙の交換作業などを簡単に行うことができる。
【００２０】
ロール紙プリンター１の内部には、プリンター本体フレーム１０における幅方向の中央部分にロール紙収納部１１が形成されている。ロール紙収納部１１には、ロール紙１２がプリンター幅方向に向いた横置き状態で転動可能に収納される。ロール紙収納部１１の後側の上方位置には、プリンター本体フレーム１０によってプリンター幅方向に水平に架け渡された繰り出しローラー１５が配置されており、この繰り出しローラー１５には前側から紙押えローラー１６が押しつけられている。繰り出しローラー１５はプリンター本体フレーム１０に取り付けられた繰り出しモーター１７によって回転駆動される。紙押えローラー１６は、開閉蓋ユニット３の側に取り付けられている支持レバー１８によって支持されており、開閉蓋ユニット３を開くと、紙押えローラー１６が紙送りローラー３１から離れるようになっている。
【００２１】
ロール紙収納部１１の上方には、プリンター本体フレーム１０の上端にヘッドユニットフレーム２０が水平に取り付けられている。ヘッドユニットフレーム２０にはプリンター幅方向にキャリッジガイド軸２１が水平に架け渡されている。このキャリッジガイド軸２１に沿って、インクジェットヘッド２２が下向き状態で搭載されているキャリッジ２３がプリンター幅方向に往復移動可能となっている。キャリッジ２３は、公知のキャリッジ搬送機構、例えば、キャリッジモーターおよびタイミングベルトを備えたキャリッジ搬送機構によって、プリンター幅方向に往復移動される。
【００２２】
インクジェットヘッド２２の下側にはプリンター前後方向に水平に延びるプラテンフレーム２４が配置されている。プラテンフレーム２４には、インクジェットヘッド２２に一定のギャップで対峙している吸引プラテン２５がプリンター幅方向に水平に取り付けられており、この吸引プラテン２５によってインクジェットヘッド２２の印刷位置が規定されている。
【００２３】
プラテンフレーム２４の後端には、ロール紙収納部１１に収納されたロール紙１２から引き出される長尺状の記録紙１２ａが架け渡されるテンションガイド２７が配置されている。テンションガイド２７は、プラテンフレーム２４の後端においてプリンター幅方向に水平に架け渡した支軸を中心として上下に旋回可能に取り付けられている。支軸には捩じりばねなどの付勢部材が取り付けられており、この付勢部材によって、テンションガイド２７の凸曲面状の記録紙ガイド面２８が記録紙１２ａ側に付勢されている。
【００２４】
次に、プラテンフレーム２４におけるテンションガイド２７よりも前側の位置には、紙送りローラー３１がプリンター幅方向に水平に架け渡されている。紙送りローラー３１には、記録紙１２ａを介して、ヘッドユニットフレーム２０の側に取り付けられている紙押えローラー３２が所定の押圧力で上側から押し付けられている。プラテンフレーム２４における吸引プラテン２５の前端側の部位には、前側紙送りローラー（図示省略）がプリンター幅方向に水平に架け渡されている。この前側紙送りローラーには、記録紙１２ａを介して、ヘッドユニットフレーム２０の側に取り付けられている前側紙押えローラー（図示省略）が上側から押し付けられている。
【００２５】
紙送りローラー３１および前側紙送りローラーは、ロール紙収納部１１の後側においてプリンター本体フレーム１０に取り付けられている紙送りモーター３５によって駆動される。本例では、プラテンフレーム２４に不図示の減速歯車列が搭載されており、この減速歯車列を介して、紙送りモーター３５の回転力が紙送りローラー３１および前側紙送りローラー３３に伝達され、紙送りローラー３１と前側紙送りローラーが同期回転する。
【００２６】
ロール紙収納部１１に収納されているロール紙１２から上方に引き出される記録紙１２ａは、図３において太い一線鎖線で示す搬送路Ａに沿って搬送される。搬送路Ａは、繰り出しローラー１５および紙押えローラー１６の間を介して上方に向かい、テンションガイド２７を経由して前方に屈曲した後、紙送りローラー３１および紙押えローラー３２の間、インクジェットヘッド２２と吸引プラテン２５の間、および、前側紙送りローラーおよび前側紙押えローラー（図示省略）の間を通って、記録紙排出口４に至る。この搬送路Ａにセットされた記録紙１２ａによってテンションガイド２７が下方に押し込まれ、テンションガイド２７側からの付勢力によって記録紙１２ａは所定の張力が付与された状態になる。
【００２７】
（開閉蓋ユニット）
図５は開閉蓋ユニットの斜め前方から見た斜視図、図６は開閉蓋ユニットの斜め後方から見た斜視図である。また、図７は開閉蓋ユニットの側面図である。なお、図５〜７においては、開閉蓋ユニット３の開閉蓋ケース３ａを省略してある。
【００２８】
開閉蓋ユニット３の開閉機構３ｂは、４節の平行リンク機構によってプリンター前方に開閉可能な状態でプリンター本体２に支持されている。平行リンク機構は、開閉蓋ケース３ａが取り付けられる左右一対の前側平行リンク４１、４２と、左右一対の後側平行リンク４３、４４とを備えている。前側平行リンク４１、４２の下端部は、それぞれ、プリンター本体フレーム１０の底板部分１０ａ（図３、図４参照）によって水平軸４６を中心に前後に回動自在に支持され、後側平行リンク４３、４４も底板部分１０ａによって水平軸４７を中心に前後に回動自在に支持されている。
【００２９】
前側平行リンク４１、４２は、ロール紙の残量確認用の窓４５ａが形成されたフレーム前面パネル４５によって一体に連結されている。開閉蓋ケース３ａは、この窓４５ａと重なる位置に形成された窓３ｃを備えている。開閉蓋ユニット３が閉じ位置にあるときには、この窓３ｃおよび窓４５ａを介して、外部からロール紙収納部１１に収納されたロール紙１２を確認することができる。
【００３０】
前側平行リンク４１、４２の上端部は、プラテンフレーム２４の前端部に対して水平軸４８を中心に回動自在に連結されている。これに対して、後側平行リンク４３、４４の上端部と、プラテンフレーム２４の後端部との間は、上下に一定量だけ移動可能な状態で連結されている。本例では、プラテンフレーム２４の側に上下に長い長孔２４ａが形成されており、ここに、後側平行リンク４３、４４の上端部に取り付けた水平軸４９が回転可能およびスライド可能な状態で挿入されている。
【００３１】
プラテンフレーム２４の左側の側面には、このプラテンフレーム２４に回転自在の状態ガイドローラー５０が取り付けられている。開閉蓋ユニット３が閉じ位置にあるときには、このガイドローラー５０がプリンター本体フレーム１０側に形成された傾斜段面に乗り上げることにより、プラテンフレーム２４がほぼ水平に保持され、ここに取り付けられている吸引プラテン２５が一定のギャップでインクジェットヘッド２２のノズル面に対峙して印刷位置を規定する。
【００３２】
開閉蓋ユニット３を開閉すると、プラテンフレーム２４に搭載されている吸引プラテン２５、テンションガイド２７、紙送りローラー３１などの部品も一緒に開閉して移動する。前側平行リンク４１、４２の水平軸４６を中心として開閉蓋ユニット３を前方に倒すと、前側平行リンク４１、４２と、後側平行リンク４３、４４の間の架け渡されているプラテンフレーム２４も全体として前方および下方に移動する。この移動により、プラテンフレーム２４のガイドローラー５０がプリンター本体フレーム１０の傾斜段面に沿って滑り落ちる。そして、開閉蓋ユニット３が開き位置にあるときには、プラテンフレーム２４の側に前側平行リンク４１、４２および後側平行リンク４３、４４がほぼ水平に折り畳まれた状態になっている。
【００３３】
（ロール紙飛び出し防止シート）
図５〜図７に示すように、開閉蓋ユニット３のプラテンフレーム２４と開閉機構３ｂの前側平行リンク４１、４２との間には、前側平行リンク４１、４２を一体に連結しているフレーム前面パネル４５を介して、透明な素材からなるロール紙飛び出し防止シート５１（以下、シート５１という）が張り渡されている。このシート５１（移動規制部材／可撓性部材）は、ロール紙収納部１１の底面に横置き状態で置かれるロール紙の紙幅の範囲内の位置に取り付けられており、本実施形態では、フレーム前面パネル４５の幅方向中央の位置に取り付けられている。
【００３４】
シート５１の上端部分５１ａは、開閉機構３ｂを側方から見たときに、プラテンフレーム２４の下面中央よりもややプリンタ前方側（フレーム前面パネル４５側）の位置に取り付けられており、上端部分５１ａの端縁をプリンター後方側に向けた状態で押さえ部材５２とプラテンフレーム２４の下面との間に挟み込まれて固定されている。一方、シート５１の下端部分５１ｂは、フレーム前面パネル４５の下端部分の背面側に固定されている。
【００３５】
このように取り付けられたシート５１は、開閉蓋ユニット３が閉じ位置にあるときは、フレーム前面パネル４５の下端からプラテンフレーム２４の下面における前側平行リンク４１、４２よりもやや後方の位置に向かって後傾した状態でほぼたるみのない状態に張り渡される。このとき、シート５１の張り渡し位置が、ロール紙収納部１１の底部の収納位置に最大径の状態のロール紙１２を収納したときに、このロール紙１２の外周面からわずかな隙間をあけた位置となるように、シート５１の寸法および取り付け位置を設定しておく。
【００３６】
これにより、図３に示すように、ロール紙収納部１１に収納されたロール紙１２の前方から上方にかけての概略三角形の空間５３がシート５１によってロール紙収納部１１から遮蔽される。よって、この状態でロール紙プリンター１が前方に傾けられるなどしてロール紙１２が斜め前方に向かってロール紙収納部１１から転がり出そうとしても、シート５１によってロール紙１２の移動が規制され、ロール紙１２が空間５３に転がり出すことがない。そのため、ロール紙１２がプラテンフレーム２４側の各部材や開閉機構３ｂに挟まるなどして開閉蓋ユニット３の正常な開閉動作が妨げられることがない。
【００３７】
開閉蓋ユニット３を閉じ位置に移動させると、平行リンク機構がプリンタ前方側に斜めに傾いてプラテンフレーム２４が水平状態のまま下降し、シート５１のたるみが大きくなる。このとき、シート５１は、図４に示すように、前側平行リンク４１、４２の上端部とプラテンフレーム２４の前端部を連結している水平軸４８側に屈曲し、プラテンフレーム２４とフレーム前面パネル４５との間に畳み込まれる。このように、シート５１は、開閉蓋ユニット３が閉じ位置にあるときにはロール紙１２の前方あるいは上方から退避しており、ロール紙収納部１１へのロール紙１２の出し入れを妨げないように構成されている。
【００３８】
そして、閉じ位置にある開閉蓋ユニット３のプラテンフレーム２４とフレーム前面パネル４５との間に畳み込まれたシート５１は、開閉蓋ユニット３が開き位置に移動して平行リンク機構が垂直に立ち上がるのに伴い、屈曲した状態から再び斜めに張り渡された状態に展開される。よって、ロール紙収納部１１の底部からのロール紙１２の飛び出しを防止することができる。
【００３９】
シート５１は、開閉蓋ユニット３を閉じ位置にしたときに、開閉蓋ケース３ａの窓３ｃおよびフレーム前面パネル４５の窓４５ａの内側に張り渡された状態となる。ここで、シート５１は透明樹脂などの透明な素材から形成されているので、このシート５１を透かして背後のロール紙１２を確認することが可能である。従って、窓３ｃおよび窓４５ａからロール紙１２の残量を確認することが可能である。
【００４０】
なお、シート５１をプリンタ幅方向に複数に分割してもよい。また、上記の形態ではプラテンフレーム２４とフレーム前面パネル４５との間にシート５１を張り渡していたが、フレーム前面パネル４５の下端側あるいは前側平行リンク４１、４２の下端側と、後側平行リンク４３、４４の上端側との間に張り渡すことも可能である。この場合には、シート５１の側端部を前側平行リンク４１、４２あるいは後側平行リンク４３、４４に固定すればよい。また、シート５１を伸縮する素材により形成すれば、張力を持たせた状態で張り渡すことができる。また、伸縮力によって開閉蓋ユニット３内にコンパクトに畳み込むことができる。
【符号の説明】
【００４１】
１…ロール紙プリンター、２…プリンター本体、２ａ…外装ケース、２ｂ…開口部、３…開閉蓋ユニット、３ａ…開閉蓋ケース、３ｂ…開閉機構、３ｃ…窓、４…記録紙排出口、５…排紙ガイド、６…蓋開閉レバー、１０…プリンター本体フレーム、１０ａ…底板部分、１１…ロール紙収納部、１２…ロール紙、１２ａ…記録紙、１５…繰り出しローラー、１６…紙押えローラー、１７…繰り出しモーター、１８…支持レバー、２０…ヘッドユニットフレーム、２１…キャリッジガイド軸、２２…インクジェットヘッド、２３…キャリッジ、２４…プラテンフレーム、２４ａ…長孔、２５…吸引プラテン、２７…テンションガイド、２８…記録紙ガイド面、３１…紙送りローラー、３２…紙押えローラー、３５…紙送りモーター、４１、４２…前側平行リンク、４３、４４…後側平行リンク、４５…フレーム前面パネル、４５ａ…窓、４６〜４９…水平軸、５０…ガイドローラー、５１…ロール紙飛び出し防止シート（シート：移動規制部材／可撓性部材）、５１ａ…上端部分、５１ｂ…下端部分、５２…押さえ部材、５３…空間、１０１…開閉蓋ユニット、１０２…ロール紙収納部、１０３…ロール紙、１０４…ロール紙プリンター、１０５…平行リンク機構、１０６…プラテンユニット、Ａ…搬送路、Ｓ…隙間
【図１】
2010201684.tif 000003
【図２】
2010201684.tif 000004
【図３】
2010201684.tif 000005
【図４】
2010201684.tif 000006
【図５】
2010201684.tif 000007
【図６】
2010201684.tif 000008
【図７】
2010201684.tif 000009
【図８】
2010201684.tif 000010